(57)【要約】【課題】表示部の有効活用を図ることのできるリサイクルごみ回収装置を提供する。【解決手段】リサイクルごみ回収装置２は、利用者によって投入されるリサイクルごみを収容する収容コンテナ３０と、収容コンテナ３０に投入されたリサイクルごみの重量を計測する計量器２６と、表示モニタ８及びタッチパネル９と、制御装置とを備え、当該制御装置は、表示モニタ８のゲーム画面においてゲームを実行し、前記重量に応じた加算ポイントに加えるボーナスポイントを付与可能なゲーム結果を表示し、前記ゲーム画面に隣接する広告画面において、前記ゲームの実行中及び終了後に広告を表示させる。【選択図】      図６
2014215909.tif 000002
【特許請求の範囲】
【請求項１】
利用者によって投入されるリサイクルごみを収容する収容部と、
前記収容部に投入されたリサイクルごみの重量を計測する計測部と、
前記計測部に計測された重量に応じて利用者に付与するポイントを決定するポイント決定部と、
所定情報を表示する表示部と、
前記表示部の表示を制御する表示制御部と、
を備え、
前記表示制御部は、
前記表示部の所定のゲーム表示領域においてゲームを実行し、前記重量に応じたポイントよりも高いポイントを付与可能なゲーム結果を表示させる第１制御部と、
前記表示部の前記ゲーム表示領域に隣接する領域において、少なくとも前記ゲームの実行中及び前記ゲームの終了後に広告を表示させる第２制御部と、
を備えていることを特徴とするリサイクルごみ回収装置。
【請求項２】
前記第２制御部は、前記リサイクルごみ回収装置の設置された店舗が発行するクーポン券に関する広告を表示させるものであり、
利用者の要求によって前記クーポン券を発行する発行部を更に備えている、請求項１に記載のリサイクルごみ回収装置。
【請求項３】
利用者により操作され、前記発行部から前記クーポン券を発行させる指令を行う操作部を更に備え、
前記操作部が操作された場合にのみ前記発行部から前記クーポン券が発行される、請求項２に記載のリサイクルごみ回収装置。
【請求項４】
利用者所有の記録媒体に情報を書き込む書き込み部を更に備え、
前記書き込み部は、前記重量及び前記ゲーム結果に応じた合計のポイントを利用者に目視不可能な状態で前記記録媒体に書き込むものであり、
前記第１制御部によって実行される前記ゲーム結果はゲーム終了前に予め定めた結果とされ、かつ前記書き込み部による書き込み処理は前記ゲームの終了前に実行される、請求項１〜３のいずれか１項に記載のリサイクルごみ回収装置。
【請求項５】
前記ゲームは、ルーレットゲームであり、前記第１制御部は、ルーレットが停止可能な複数の位置にそれぞれ、加算されるポイント又は今回の計測された重量に応じたポイントに対する掛率の少なくとも一方を表示させる、請求項１〜４のいずれか１項に記載のリサイクルごみ回収装置。
【請求項６】
前記表示部及び前記表示制御部を含むコントロールボックスを備え、
前記コントロールボックスは、装置本体の上部に設置され、
前記装置本体の下部には前記コントロールボックスの下方を含んだ全域に前記収容部が設置され、
前記装置本体は直方体状をなしており、４つの側面のうち２以上の側面が開放されて当該開放された各側面から前記収容部にリサイクルごみを投入可能であり、
前記開放された各側面を前記コントロールボックスが内部に配置された状態で開閉するシャッタをそれぞれ備えている、請求項１〜５のいずれか１項に記載のリサイクルごみ回収装置。
【発明の詳細な説明】
【技術分野】
【０００１】
本発明は、リサイクルごみ回収装置に関する。
【背景技術】
【０００２】
リサイクルごみやペットボトル等、リサイクルごみの回収が小売店等の店舗でも行われている。従来のリサイクルごみの回収は収容箱に投入させるだけのものであったが、近年、収容箱にリサイクルごみが投入されるとその重量を測定し、測定された重量に応じて何らかの利益と交換可能なポイントを付与する回収装置が開発されている（例えば特許文献１参照）。このような回収装置によれば、リサイクルごみの回収を促進することができる。
【先行技術文献】
【特許文献】
【０００３】
【特許文献１】特開２００８−１４６４２８号公報
【発明の概要】
【発明が解決しようとする課題】
【０００４】
上述従来の回収装置では、使用方法を表示したり、リサイクルごみの重量計測結果を表示したり、ポイントの照会要求に応じて現在のポイントを表示したりする表示部を備えている。しかしながら、普段から回収装置を利用している利用者は慣れにより表示部の表示内容をわざわざ確認することがなくなる。
【０００５】
そうすると、せっかく設置されている表示部が有効活用されない。特に、店舗に回収装置が設置されている場合には、店舗へ買い物に来た利用者が買い物ついでにリサイクルごみを収容箱に投入するだけのものとなっている。買い物が主目的であることが多いため、ポイントカードにポイントが書き込まれたらそのまますぐに買い物に行ってしまう。したがって、店舗に回収装置を設置する場合には特に表示部を見る利用者は殆どいないのが実情である。
【０００６】
本発明は、上述事情に鑑みてなされたものであり、表示部の有効活用を図ることのできるリサイクルごみ回収装置を提供することを目的としている。
【課題を解決するための手段】
【０００７】
上述課題を解決するのに適した手段について、作用効果等を示しつつ説明する。
【０００８】
手段１は、リサイクルごみ回収装置であり、利用者によって投入されるリサイクルごみを収容する収容部と、前記収容部に投入されたリサイクルごみの重量を計測する計測部と、前記計測部に計測された重量に応じて利用者に付与するポイントを決定するポイント決定部と、所定情報を表示する表示部と、前記表示部の表示を制御する表示制御部と、を備え、前記表示制御部は、前記表示部の所定のゲーム表示領域においてゲームを実行し、前記重量に応じたポイントよりも高いポイントを付与可能なゲーム結果を表示させる第１制御部と、前記表示部の前記ゲーム表示領域に隣接する領域において、少なくとも前記ゲームの実行中及び前記ゲームの終了後に広告を表示させる第２制御部と、を備えていることを特徴とする。
【０００９】
手段１によれば、リサイクル回収ごみ装置において、利用者によって投入されるリサイクルごみの重量に応じて利用者にポイントを付与するときに、当該ポイントよりも高いポイントを付与可能なゲームをゲーム表示領域において実行することにより、利用者の注意を表示部に惹きつけておくことができる。また、ゲーム表示領域に隣接する領域においてゲームの実行中及び終了後に広告が表示されるため、広告にも関心を向けさせることができる。したがって、表示部を有効に活用できるとともに、特に、表示される広告が、リサイクル回収ごみ装置が設置されている店舗等の商品に関するものであれば、当該店舗等にとっても有利となる。
【００１０】
手段２は、手段１において、前記第２制御部は、当該リサイクルごみ回収装置の設置された店舗が発行するクーポン券に関する広告を表示させるものであり、利用者の要求によって前記クーポン券を発行する発行部を更に備えていることを特徴とする。
【００１１】
手段２によれば、表示部においてクーポン券に関する広告を表示させ、利用者の要求によりクーポン券を発行することにより、リサイクルごみ回収装置が設置された店舗における利用者の購買行動を促すことができ、販売促進の有効な手段となり得る。
【００１２】
手段３は、手段２において、利用者により操作され、前記発行部から前記クーポン券を発行させる指令を行う操作部を更に備え、前記操作部が操作された場合にのみ前記発行部から前記クーポン券が発行されることを特徴とする。
【００１３】
手段３によれば、利用者が能動的に操作を行った場合にのみクーポン券が発行されるため、利用されないクーポン券がむやみに発行されて資源を無駄にすることがないとともに、確実な購買行動を促すことができる。
【００１４】
手段４は、手段１〜３のいずれかにおいて、利用者所有の記録媒体に情報を書き込む書き込み部を更に備え、前記書き込み部は、前記重量及び前記ゲーム結果に応じた合計のポイントを利用者に目視不可能な状態で前記記録媒体に書き込むものであり、前記第１制御部によって実行される前記ゲーム結果はゲーム終了前に予め定めた結果とされ、かつ前記書き込み部による書き込み処理は前記ゲームの終了前に実行されることを特徴とする。
【００１５】
手段４によれば、重量に応じたポイントは重量計測後にしか書き込むことができない一方、ゲーム結果に応じたポイントはゲーム結果が予め定めた結果とされるものとすればゲーム終了前に書き込み可能である。このようにすれば、記録媒体の書き込み前に利用者が記録媒体を持っていってしまっても、ゲーム結果に応じたポイントを付与することができる。また、記録媒体がポイントを目視できない状態で書き込まれていれば、ゲーム結果を知らない利用者にポイントが不一致ではないかと疑念を抱かれることがないとともに、ゲーム結果を踏まえたポイントが付与されていることで急いでいる利用者に不利益を与えることもなくなる。
【００１６】
手段５は、手段１〜４のいずれかにおいて、前記ゲームは、ルーレットゲームであり、前記第１制御部は、ルーレットが停止可能な複数の位置にそれぞれ、加算されるポイント又は今回の計測された重量に応じたポイントに対する掛率の少なくとも一方を表示させることを特徴とする。
【００１７】
手段５によれば、ルーレットゲームにおいて、ルーレットがどの位置に停止したらどれだけのポイントが加算されるか又はどれだけの掛率が得られるかが利用者に表示されるため、ルーレットが停止するまで利用者の興味を惹きつけておくことができる。
【００１８】
手段６は、手段１〜５のいずれかにおいて、前記表示部及び前記表示制御部を含むコントロールボックスを備え、前記コントロールボックスは、装置本体の上部に設置され、前記装置本体の下部には前記コントロールボックスの下方を含んだ全域に前記収容部が設置され、前記装置本体は直方体状をなしており、４つの側面のうち２以上の側面が開放されて当該開放された各側面から前記収容部にリサイクルごみを投入可能であり、前記開放された各側面を前記コントロールボックスが内部に配置された状態で開閉するシャッタをそれぞれ備えていることを特徴とする。
【００１９】
手段６によれば、コントロールボックスが装置本体に設置されているため、コントロールボックスと装置本体とを別個に運搬する必要がなく、かつ、装置本体が直方体状をなしているため、装置の運搬を容易に行うことができる。また、装置本体の下部には前記コントロールボックスの下方を含んだ全域に収容部が設置されており、かつ、２以上の側面が開放されているため、装置本体の大きさの割に収容部には十分な収容力を与えることができ、しかもリサイクルごみの投入を行い易い。さらに、これら開放された各側面を前記コントロールボックスが内部に配置された状態で開閉するシャッタを備えているため、装置を利用しない時間帯に閉めておけば、異物等が投入されることやコントロールボックスに接触されること等のいたずら行為が有効に防止される。
【図面の簡単な説明】
【００２０】
【図１】本発明の一実施形態であるリサイクルごみ回収装置の正面図。
【図２】リサイクルごみ回収装置の左側面図。
【図３】リサイクルごみ回収装置の投入口シャッタを閉めた状態を示す斜視図。
【図４】図１のIV−IV線断面図。
【図５】図１のV−V線断面図。
【図６】リサイクルごみ回収装置の前扉を開いた状態を示す正面図。
【図７】リサイクルごみ回収装置の電気的構成を示すブロック図。
【図８】リサイクルごみ回収装置の処理を示すフローチャート。
【図９】表示モニタでの表示内容を示す図。
【発明を実施するための形態】
【００２１】
以下に本発明の一実施形態であるリサイクルごみ回収装置について図面を参照しつつ説明する。リサイクルごみ回収装置２は、小売店等の店舗内又は店舗のある敷地内に設置されていることを前提に説明する。以下においては、リサイクルごみ回収装置の機械的構成、電気的構成、処理の流れの順に説明する。
【００２２】
＜リサイクルごみ回収装置の機械的構成＞
まず、リサイクルごみ回収装置２について、図１〜図５を参照して説明する。図１はリサイクルごみ回収装置２の正面図であり、図２は左側面図であり、図３は投入口シャッタを閉めた状態を示す斜視図であり、図４は図１のIV−IV線断面図であり、図５は図１のV−V線断面図である。
【００２３】
リサイクルごみ回収装置２は、略直方体形状の金属製の筐体５によりその外郭が構成される。筐体５の前面右側にはコントロールボックス６が設けられている。このコントロールボックス６の前面側表面には、リサイクルごみ回収装置２の使い方案内等を表示する表示モニタ８、利用者用によりタッチ操作されるともに状況に応じて種々のメッセージ等を表示するタッチパネル９、後述するポイントカード５０に対する情報の読み書きを行うカードリーダ・ライタ１０、店舗が発行するクーポン券を発行する発行部１２が設けられている。これら表示モニタ８、タッチパネル９、カードリーダ・ライタ１０及び発行部１２は、後述する制御部１５によって制御される。本実施形態では、表示モニタ８及びタッチパネル９が表示部を構成し、タッチパネル９が操作部を構成し、カードリーダ・ライタ１０が書き込み部を構成する。
【００２４】
筐体５の前面側及び左右両側には、リサイクルごみが投入される投入口２０，２１，２２が設けられている。これら投入口２０，２１，２２には、図３に示すように、開閉可能な投入口シャッタ２３，２４，２５がそれぞれ設けられており、店舗の営業時間以外には閉じられる（なお、図３では、投入口２１を閉めるシャッタ２４は示されていない）。シャッタ２３は、コントロールボックス６よりも前方に設置されているため、シャッタ２３が閉じられると、コントロールボックス６はシャッタ２３の後方に隠れることとなる。また、投入口２０の下方の立壁は開閉扉１３により構成されており、通常時は、部外者が開けることができないよう施錠されている。一方、筐体５の背面側には投入口は設けられておらず、背面全面が壁板により構成されている。
【００２５】
次に、筐体５内部の構成について、図４〜図６を参照して詳しく説明する。図６は筐体５の開閉扉１３を開いた状態を示す正面図である。
【００２６】
筐体５内の底部には計量器２６が載置されるとともに、当該計量器２６の計量面（上面）には収容箱としての収容コンテナ３０が載置されている。計量器２６は、平面視において後側が開口したコ字状に形成され、前側及び左右両側の計量面で収容コンテナ３０を支持することにより、リサイクルごみが収容コンテナ３０内で局所的に偏って集まった場合においても精度よく重量を計測できる。また、計量器２６は、筐体５底部に設けられたガイド２８により前後にスライド可能となっており、メンテナンスや清掃等のために、前側面に設けられた左右一対の取っ手２７により前方に引き出すことができる。
【００２７】
収容コンテナ３０は、上面の開口した略直方体形状をなし、リサイクルごみ回収装置２下部の略全域に設置されている。収容コンテナ３０の前面側の立壁中央部分は、リサイクルごみを排出する際に開扉可能となった開閉扉３１となっている。開閉扉３１は、ごみ収容時にはストッパ３２により閉められている。また、収容コンテナ３０の底面の四隅には、高さ調整可能な支持部３３が設けられている。支持部３３は、通常時は、計量器２６の高さより低い高さＡ−Ａに設定されており、その底面は筐体５の底部から離間している。一方、メンテナンスや清掃等のために計量器２６を前方に引き出す際には、計量器２６及びガイド２８を合せた高さよりも支持部３３を高く調整することで、収容コンテナ３０の底面が計量器２６から離間し、計量器２６を容易に引き出すことが可能となる。
【００２８】
＜リサイクルごみ装置の電気的構成＞
次に、リサイクルごみ回収装置２の電気的構成について、図７を参照して説明する。図７は、リサイクルごみ回収装置２と小売店等の店舗内のネットワーク３とから構成されるリサイクルごみ回収システム１の構成を示すブロック図であり、その一部としてリサイクルごみ回収装置２の電気的構成が示されている。
【００２９】
リサイクルごみ回収装置２のコントロールボックス６の内部には、投入されたリサイクルごみの重量に応じたポイント換算や表示モニタ８等の制御を行う制御装置１５や、当該制御装置１５を操作するための管理者用のキーボード１６、店舗内ネットワーク３との通信を行うための通信部１７などが収納されている。本実施形態では、制御装置１５がポイント決定部及び表示制御部を構成する。
【００３０】
制御装置１５は、演算装置であるＣＰＵ、該ＣＰＵにより実行される各種制御プログラム等を記録したＲＯＭ、各種データ等を一時的に記録するＲＡＭなどを内蔵しており、制御プログラムに基づき図示しないリレー等を介して上述各種電装機器の制御を行うものである。
【００３１】
なお、本実施形態では、ポイントカード５０として、情報の書換えが可能な記録領域を有する記録媒体としてのＩＣカードを用いている。このＩＣカードは、情報の記録や演算のためのＩＣチップを組み込んだものであり、ＩＣチップの一部が記録領域となる。ポイントカード５０の記録領域には、カードの登録番号、加算ポイント、累積ポイント、最新使用日等が書き込まれており、例えばポイントに変更があった場合には、カードリーダ・ライタ１０等によって前回記録されたポイントが消去された後、新たなポイントが記録される。なお、記録された情報は、ポイントカード５０だけ（単体）では、利用者の目視が不可能となっている。
【００３２】
＜店舗内ネットワークの構成＞
次に、リサイクルごみ回収システム１を構成する店舗内ネットワーク３の構成について説明する。
【００３３】
店舗内ネットワーク３は、後述するポイントカード５０に貯まったポイントをキャッシュバック等によって利用できるようにするためのネットワークである。図７に示すように店舗内ネットワーク３は、統括的な管理を行うホストコンピュータ６０に多数のＰＯＳレジスタ端末６１がＬＡＮによってネットワーク接続されることにより構成されている。また、各ＰＯＳレジスタ端末６１にはカードリーダ・ライタ６２が接続されている。このカードリーダ・ライタ６２は、上述のリサイクルごみ回収装置２のカードリーダ・ライタ１０と同様のもので、ポイントカード５０に対する情報の読み書きが可能となっている。
【００３４】
また、ホストコンピュータ６０には、リサイクルごみ回収装置２との通信を行うための通信部６３が接続されている。通信部６３は通信回線６４を介してリサイクルごみ回収装置２の通信部１７と接続されている。これにより、店舗内ネットワーク３のホストコンピュータ６０と、リサイクルごみ回収装置２の制御装置１５とが通信可能に接続される。
【００３５】
ホストコンピュータ６０は、自身の記録装置内に顧客データベースを管理しており、後述するようにリサイクルごみ回収装置２の制御装置１５から新規登録情報やポイントカード５０の使用履歴など新たな情報が送られてきた場合には、当該情報を顧客データベースに記録させる。
【００３６】
＜リサイクルごみ回収装置の処理の流れ＞
次に、利用者がリサイクルごみ回収装置２を利用する際の処理の流れを、図８のフローチャートを参照して説明する。
【００３７】
リサイクルごみ回収装置２（制御装置１５）は、通常、表示モニタ８において、「リサイクルごみ回収モード」か「ポイント照会モード」かを選択できることを案内する表示で待機している。また、タッチパネル９は、「リサイクルごみ回収モード」か「ポイント照会モード」かを入力操作できる画面となっている。
【００３８】
リサイクルごみを投入する利用者は、タッチパネル９で「リサイクルごみ回収モード」を選択すると（ステップＳ１）、自身の所有する記録媒体としてのポイントカード５０をカードリーダ・ライタ１０のカードホルダに載置する（ステップＳ２）。ポイントカード５０が載置されると、制御装置１５はカードリーダ・ライタ１０を制御してポイントカード５０に記録されているカードの登録番号やポイントなど各種情報を読取る。この際、読取られた情報はＲＡＭに一時記録される。
【００３９】
このようなカード情報の読取りに続き、制御装置１５は、挿入されたポイントカード５０の正規性や挿入の正常性の判定を行う（ステップＳ３）。
【００４０】
ここで載置されたカードが正規カードでない場合やカードの挿入向きが間違っている場合には、制御装置１５は、表示モニタ８にて「カードエラー：カードの向きを確認してください」や「カードが正常に読み取れません。お手数ですがサービスカウンターへ起しください」などのメッセージを表示させるとともに、利用者にカードを受け取らせ（ステップＳ４）、再度の操作を促す。
【００４１】
ステップＳ３においてポイントカード５０の正常性が判定されると、制御装置１５は、自身の有するデータベースを参酌して、当該ポイントカード５０が登録済みか否かを判定する（ステップＳ５）。
【００４２】
登録済みでない場合、すなわち利用者がリサイクルごみ回収装置２を初めて利用する場合には、利用者の属性情報（例えば性別、職業、居住地域、年齢など）の登録をタッチパネル９を介して利用者に行わせる（ステップＳ６）。同時に、制御装置１５は、これらの登録情報を前記データベースに記録させるとともに、前記通信部１７を介して店舗内ネットワーク３へ送信する。
【００４３】
登録が完了した場合又は既に登録済みの場合には、制御装置１５は、計量器２６を制御して風袋引き処理を実行する（ステップＳ７）。この処理が行われることにより、計量器２６は、計量面に載置された収容コンテナ３０及びこれに収容されたリサイクルごみの総重量を風袋引きし、今回投入されるリサイクルごみの重量のみを計量可能な状態となる。
【００４４】
制御装置１５は、タッチパネル９にて「投入口より新聞・雑誌等を投入してください」とのメッセージを表示して、利用者にリサイクルごみの投入を促すとともに（ステップＳ８）、「投入が終わりましたら「ポイントＧＥＴ！」ボタンを押してください」とのメッセージを表示してポイントカード５０への加算ポイントの書き込みを促す。
【００４５】
そして、制御装置１５は、計量器２６を駆動制御して計量動作を行わせるとともに、計量器２６から入力された重量データを基にタッチパネル９にてその値を表示させ（ステップＳ１１）、この値をＲＡＭに一時記録する。
【００４６】
続いて、制御装置１５は、計量器２６により計量されたリサイクルごみの重量を予め設定された演算式に基づきポイントに換算し（ステップＳ１０）、ポイントカード５０から読み取った累積ポイントに、今回投入されたリサイクルごみの重量に応じたポイントを加算する（ステップＳ１１）。そして、制御装置１５は、タッチパネル９にて、今回のリサイクルごみの重量と加算ポイントと、累積重量と累積ポイントとを表示する（ステップＳ１２）。それとともに、制御装置１５は、後ほど表示モニタ８にて行われるルーレットによるゲーム結果を予め決定し、そのゲーム結果に基づいたボーナスポイントを、前記加算ポイントに付加した後、カードリーダ・ライタ１０を駆動制御して、ポイントカード５０に新たな情報を書き込む（ステップＳ１３）。これにより、ポイントカード５０の記録領域には、ボーナスポイントが付加された新たな加算ポイント、累積ポイント及び最新使用日が記録される。なおこの段階では、これら情報は、利用者には表示されない。
【００４７】
そして、ポイントカード５０への書き込みが終了すると（ステップＳ１４でＹＥＳ）、タッチパネル９にて「カードをお受け取りください。上の画面でゲームが始まるよ」とのメッセージを表示して、カードリーダ・ライタ１０のカードホルダからカードの受け取りが可能となる（ステップＳ１５）。
【００４８】
タッチパネル９に表示された前記メッセージにより、表示モニタ８にて行われるゲームへの注意が喚起されたのに続いて、表示モニタ８では、図９に例示するように、ゲーム画面８１と広告画面８２とが、隣接する領域において並列表示される（ステップＳ１６）。ゲーム画面８１ではルーレットによるゲームが行われ、前記ステップＳ１３において予め決定されたゲーム結果に対応した停止位置の表示がなされる（ステップＳ１７）。なお、図９では、加算ポイントにさらに付加されるボーナスポイント（＋１、＋５、…）又は「商品券」が、ゲームにより付加される例が示されている。また、ゲーム画面８１でゲームが行われている間、広告画面８２では店舗で販売される商品等の広告動画が表示される。この広告動画は、ゲームが終了しゲーム結果が表示された後まで継続される。なお、広告動画は、店舗で販売されている商品等でクーポン券が発行されるものに関するものである。図９の例では、広告動画の下方に、タッチパネル９を操作してクーポン券の発行を促す表示が併せてなされている。
【００４９】
ゲーム画面８１でのゲーム結果が「商品券」であり商品券の発行を利用者が希望する場合や、広告画面８２で表示された広告動画の商品等のクーポン券の発行を利用者が希望する場合に、利用者がタッチパネル９にて券発行操作を行うと（ステップ１８）、発行部１２より商品券やクーポン券が発行される（ステップＳ１９）。
【００５０】
なお、ステップ１８でＮＯと判定された場合（発行部１２による券発行がなされない場合）は所定時間経過後に、ステップＳ１８でＹＥＳと判定された場合はステップ１９の処理（発行部１２による券発行処理）の直後に、制御装置１５は、再び表示モニタ８とタッチパネル９の画面を初期画面に戻し、待機状態となる。
【００５１】
上述のようにリサイクルごみ回収装置２により加算されたポイントは、当該リサイクルごみ回収装置２を設置している店舗等における買い物時において、例えば１０ポイントで１００円を割引するなどといったキャッシュバック（商品代金への充当）によって利用することができる。
【００５２】
＜店舗内のネットワークによるキャッシュバック処理の流れ＞
次に、店舗内のネットワーク３を利用してポイントカード５０に貯まったポイントをキャッシュバックにて使用する処理の流れについて説明する。
【００５３】
買い物の精算を行う際、ポイントカード５０をカードリーダ・ライタ６２のカードホルダに載置する。各ＰＯＳレジスタ端末６１は、カードリーダ・ライタ６２からポイントカード５０に記録されているカードの登録番号やポイントなど各種情報を読み取る。さらに、ポイントカード５０から読み取った累積ポイントから、今回キャッシュバックにて使用する所定ポイント分を減算するとともに、キャッシュバックする分の金額を商品代金から減算し精算を行う。そして、ＰＯＳレジスタ端末６１は、カードリーダ・ライタ６２を駆動制御してポイントカード５０に新たな情報を書き込む。これにより、ポイントカード５０の記録領域には、新たな累積ポイント及び最新使用日が記録される。
【００５４】
また、ＰＯＳレジスタ端末６１は、ポイントカード５０の更新情報をホストコンピュータ６０に対し送信する。これを受信したホストコンピュータ６０は、当該情報を顧客データベースに記録させる。これにより、例えばいかなるタイプの顧客がいつ来店したかなどの統計データを得ることができ、当該統計データを、折込広告の部数調整や特売を行う時間帯の決定など販売促進の有効な手段として利用できる。
【００５５】
＜効果＞
以上詳述したように、本実施形態では、リサイクルごみ回収に協力した利用者に対し、リサイクルごみの回収量に応じたポイントを発行して、そのポイントに応じたキャッシュバック等の利益を還元することができる。このようなポイント還元方式を採用することで、利用者にとっては、リサイクルごみ回収に協力したことに対する対価をキャッシュバック等といった形態で得ることができるため、さらなるリサイクルごみ提供の動機付けとなり得るとともに、利便性が向上する。一方、リサイクルごみ回収装置２を設置する店舗にとっては、キャッシュバック等のポイントによる優遇を受けるために来店する顧客が増えるため、販売促進の有効な手段の１つとして利用でき、メリットが大きい。その結果、リサイクルごみ回収装置２を設置する設置店が増え、当該リサイクルごみ回収装置２及びこれを用いたシステム１の普及促進が図られるため、社会全体のリサイクルごみ回収率の向上に寄与できる。
【００５６】
また、リサイクルごみ回収装置２を設置する設置店は勿論のこと、リサイクルごみ回収装置２により集められたリサイクルごみを回収するリサイクルごみ回収業者等にとっても、効率の良い回収業務が可能となるため、設備投資や人件費を含む各種経費の節減を図ることができ、利便性や収益性が向上する。
【００５７】
また、ポイントカードにリサイクルごみの重量に応じたポイントを加算するときに、表示モニタ８のゲーム画面８１においてルーレットゲームを実行することにより、利用者の注意を表示モニタ８に惹きつけられる。それとともに、ゲーム画面８１と隣接する領域において、ゲームの実行中及び終了後に、広告画面８２において広告動画が並列表示されることにより、広告にも関心を向けさせることができる。したがって、表示モニタ８を有効活用することが可能となり、かつ、リサイクル回収ごみ装置が設置されている店舗等にとっても有利となる。
【００５８】
さらに、前記広告動画は、店舗で販売されている商品等でクーポン券が発行されるものに関するものに関するものであり、利用者はタッチパネル９を操作してクーポン券の発行を行うことができるため、店舗における利用者の購買行動を促すことができ、リサイクルごみ回収装置が設置された店舗にとって有利となる。この場合、利用者が能動的に操作を行った場合にのみクーポン券が発行されるため、利用されないクーポン券がむやみに発行されて資源を無駄にすることがないとともに、確実な購買行動を促すことができる。
【００５９】
また、表示モニタ８にて行われるルーレットによるゲーム結果は、ゲームが実行される前に予め決定され、そのゲーム結果に基づいたボーナスポイントは、ゲームが実行される前に、ポイントカード５０に書き込まれる。このため、書き込み前に利用者がポイントカード５０を持っていってしまっても、ボーナスポイントを付与することができる。また、このとき、書き込まれる情報は利用者には表示されないため、利用者がゲーム結果を知らない場合も、ポイントが不一致ではないかと疑念を抱かれることがないとともに、ボーナスポイントが付与されていることで急いでいる利用者に不利益を与えることもなくなる。
【００６０】
さらに、表示モニタ８のゲーム画面８１では、図９に例示するようなルーレットが表示され、ルーレットがどの位置に停止したらどれだけのポイントが加算されるかが利用者にわかりやすいため、ルーレットが停止するまで利用者の興味を惹きつけておくことができる。
【００６１】
また、コントロールボックス６が、リサイクルごみ回収装置２の装置本体に一体的に設置されているため、コントロールボックス６と装置本体とを別個に運搬する必要がなく、かつ、装置本体は直方体状をなしているため、リサイクルごみ回収装置２の運搬を容易に行うことができる。また、収容コンテナ３０は、リサイクルごみ回収装置２下部の略全域に設置されており、かつ、投入口が３箇所（２０，２１，２２）設けられているため、装置本体の大きさの割に収容コンテナ３０には十分な収容力を与えることができ、しかも、リサイクルごみの投入を行い易い。さらに、これら投入口２０，２１，２２を開閉する投入口シャッタ２３，２４，２５を備えており、店舗の営業時間以外には閉じられるため、その時間帯に異物等が投入されることやコントロールボックスに接触されること等のいたずら行為が有効に防止される。
【００６２】
＜他の実施形態＞
以上説明した一実施形態の他、例えば次のような実施形態とすることも可能であるし、以下において例示しない他の応用例、変更例も当然可能である。
【００６３】
（１）投入口シャッタ２３，２４，２５は、タイマの設定により自動で開閉できるようにしてもよい。店舗の営業時間外には防犯の観点より閉じておいた方がよいが、手動では閉じることを忘れがちであるため、自動で開閉できるようにすれば、閉じ忘れが防止される。
【００６４】
（２）上記実施形態では、リサイクルごみ回収装置２の制御装置１５と店舗内ネットワーク３のホストコンピュータ６０とが通信回線（有線）６４を介して通信可能に接続されている。これに限らず、両者が無線ＬＡＮなど無線により通信可能に接続される構成としてもよい。また、通信可能に接続されることなく両者が独立した構成としてもよい。
【００６５】
（３）上記実施形態では、ポイント等を記録する記録媒体として、累積ポイント等の情報の書換えが可能な記録領域を有するＩＣカード（ポイントカード５０）を用いているが、これに限らず、リライタブルカードや携帯電話機等、情報を記録できる記録媒体であれば他の記録媒体を用いてもよい。
【００６６】
（４）ルーレットゲームによるボーナスポイントを、リサイクルごみ回収量に応じた加算ポイントに対する掛率としてもよい。
【００６７】
（５）上記実施形態では詳述しなかったが、「ポイント照会モード」では、利用者が、タッチパネル９で「ポイント照会モード」を入力操作し、ポイントカード５０をカードリーダ・ライタ１０のカードホルダに載置すると、制御装置１５が、カードリーダ・ライタ１０を制御してポイントカード５０に記録されているカードの登録番号やポイントなど各種情報を読取って、タッチパネル９にて、累積重量と累積ポイントとを表示する。
【００６８】
（６）上記実施形態では特に言及しなかったが、収容コンテナ３０が満杯になったことを検知できる構成を採用してもよい。例えば、収容コンテナ３０が満杯になったことを検知する検知センサを設けたり、計量器２６により定期的に収容コンテナ３０及びこれに収容されたリサイクルごみの総重量を計量して監視する構成としてもよい。さらに、検知結果を外部に報知する警告ランプなどの報知手段を備えた構成とすることが好ましい。この場合、例えば状況に応じて段階的に色が変わるランプを備え、収容コンテナ３０が投入可能な状態であればランプが青色に点灯し、収容コンテナ３０の容量の半分までリサイクルごみが収容された場合にはランプが黄色に点灯し、収容コンテナ３０が満杯となった場合には赤色に点灯するといった構成が一例に挙げられる。
【００６９】
（７）上記実施形態では特に言及しなかったが、計量器２６が一度に大きな重量変化を検知した場合は、リサイクルごみ以外のものが投入されたと判断できるので、それを検知し、不正又は事故の可能性について報知するように構成してもよい。
【００７０】
（８）リサイクルごみ回収装置２に防犯カメラ等の防犯機能を持たせた構成としてもよい。このようにすることで、リサイクルごみ回収装置２にリサイクルごみより重いものを投入し、不正にポイントを詐取する行為等を抑止することができる。
【符号の説明】
【００７１】
１…リサイクルごみ回収システム、２…リサイクルごみ回収装置、３…店舗内ネットワーク、６…コントロールボックス、８…表示モニタ、９…タッチパネル、１０…カードリーダ・ライタ、１５…制御装置、２６…計量器、３０…収容コンテナ。
【図１】
2014215909.tif 000003
【図２】
2014215909.tif 000004
【図３】
2014215909.tif 000005
【図４】
2014215909.tif 000006
【図５】
2014215909.tif 000007
【図６】
2014215909.tif 000008
【図７】
2014215909.tif 000009
【図８】
2014215909.tif 000010
【図９】
2014215909.tif 000011